(57)【特許請求の範囲】
【請求項１】
底壁及び蓋壁と、この底壁及び蓋壁の平行する一辺側を前記底壁及び蓋壁の対向間隔が一定になるように開閉自在に連結したヒンジと、上記底壁及び蓋壁の上記ヒンジの反対側辺にショップ以外による解錠ができないと共に、ショップ側による解錠にともない施錠部品を回収することができるように設けた適宜の錠装置とで対向側面の少なくとも片面が開放する陳列ケースを形成し、ディスクなどの商品を収納した箱体と、この箱体にヒンジを介し開閉自在に設けた蓋体とで収納ケースを形成し、上記陳列ケースに上記収納ケースを嵌め込み、上記陳列ケースに嵌め込んである収納ケースの上記陳列ケースの側面開口からのすべり出し防止手段を陳列ケースの開口の縁に形成した突出部によって設けたことを特徴とするレンタル用盗難防止装置。
【請求項２】
底壁及び蓋壁と、この底壁及び蓋壁の平行する一辺側を前記底壁及び蓋壁の対向間隔が一定になるように開閉自在に連結したヒンジと、上記底壁及び蓋壁の前記ヒンジの反対側辺にショップ以外による解錠ができないと共に、ショップ側の解錠にともない施錠部品を回収することができるように設けた錠装置とで上記ヒンジと錠装置との間の対向両側の少なくとも片方が開放する陳列ケースと形成し、ディスクなどの商品を収納した箱体と、この箱体にヒンジを介し開閉自在に設けた蓋体とで収納ケースを形成し、この収納ケースの上記ヒンジ側周壁及び上記箱体及び蓋体の表面に背見出しシートを重ねると共に、このシートの両側部分を前記箱体及び蓋体に固着し、上記陳列ケースに収納ケースを嵌め込み、この嵌め込んだ上記収納ケースの箱体を前記陳列ケースの底壁に前記収納ケースの上記シート側が浮上可能に止め部材を介し取付けたことを特徴とするレンタル用盗難防止装置。
【発明の詳細な説明】
【技術分野】
【０００１】
この発明は、メーカーの収納ケースに収納してある音楽や映像を記録してある商品のディスクが盗難に遭うのを防止するレンタル用盗難防止装置に関する。
【背景技術】
【０００２】
ショップにメーカーから出荷されたディスクの収納ケースを（収納用トレイ）を陳列すると、収納ケースを開放して収納ディスクの取り出しが容易になるので、ディスクの盗難に遭う。
【０００３】
そこで、透明な合成樹脂製の袋により上記ディスクの収納ケースを包装して陳列する（特許文献１）。
【０００４】
しかしながら、容易に袋を開放或いは破ることができるので、ディスクの盗難に遭う。
【０００５】
上記の盗難を防止するために、ショップ側の陳列ケースにメーカーから出荷されたディスクの収納ずみ収納ケースを嵌め込んでショップに陳列する方式がある（先行技術の特願２００４−３７５５６９号）。
【０００６】
この先行技術は、図２３から図２５に示すように、箱体１０１と、この箱体１０１の一辺にヒンジ１０２を介し一辺を開閉自在に取付けた蓋体１０３と、この箱体１０１及び蓋体１０３のヒンジ１０２の反対側辺にショップ以外による解錠ができないと共に、ショップ側による解錠にともない施錠部品１０４をショップに回収するように設けた錠装置１０５とで陳列ケース１０６を形成する。
【０００７】
又メーカーから出荷された収納ケース１０７は、ディスク１０８の収納箱体１０９と、この箱体１０９にヒンジ１１０を介し開閉自在に設けた蓋体１１１とで形成する。
【０００８】
そして、陳列ケース１０６の箱体１０１に収納ケース１０７を嵌め込んでいる。
【０００９】
なお、陳列ケース１０６の箱体１０１及び蓋体１０３は、主壁１１２と、この主壁１１２の周囲四辺から連なって主壁１１２の裏面方向に突出する周壁１１３（各辺用の）とで構成され、蓋体１０３の閉鎖にともない箱体１０１及び蓋体１０３の周壁１１３が内と外とで重なり合うようになっている。
【特許文献１】特開平７−２５７６７５号公報
【発明の開示】
【発明が解決しようとする課題】
【００１０】
ところで、陳列ケースに収納ケースを嵌め込んだ構成によると、錠装置のショップ側による施錠により陳列ケースの開放（ショップ以外による）を阻止することができるので、ショップでの陳列時に収納ケースの取り出しができないため、ディスクが盗難に遭うのをなくすることができる。
【００１１】
しかしながら、陳列ケースを形成する箱体と蓋体との周壁は、内と外とで重なり合うようになっているため、重なり合う周壁の肉厚（重なり合う計四枚の周壁により）の倍加が陳列ケースの両側で生じて陳列ケースの両側縁間の寸法が大きくなる。
【００１２】
すると、図４に示すような在来品の展示ケースＳに挿入しようとしても展示ケースＳの挿入口を挟んで対向する両側（壁）間の寸法が陳列ケース１０６の両側間の寸法よりも小さいため挿入することができない。すなわち、在来品の展示ケースを使用することができない。
【００１３】
このため、陳列ケースの両側縁間の幅寸法に見合う展示ケースが必要になって、別途展示ケースの製造により大幅なコストアップになり、又展示ケースの不使用によりショップでの展示効果が低下する。
【００１４】
その要因は、展示ケースに商品（ディスク）背見出しが挿入してあるためによる。
【００１５】
また、上述の問題を解決するために、陳列ケースのヒンジと錠装置との間の側面を開放（周壁をなくすることによる）すると、陳列ケースから収納ケースを抜き取ることができて、ディスクの盗難に遭う問題が発生した。
【００１６】
そこで、この発明の課題は、上述の問題を解消することにある。
【課題を解決するための手段】
【００１７】
上記の課題を解決するために、この発明は、底壁及び蓋壁と、この底壁及び蓋壁の平行する一辺側を前記底壁及び蓋壁の対向間隔が一定になるように開閉自在に連結したヒンジと、上記底壁及び蓋壁の上記ヒンジの反対側辺にショップ以外による解錠ができないと共に、ショップ側による解錠にともない施錠部品を回収することができるように設けた適宜の錠装置とで対向側面の少なくとも片面が開放する陳列ケースを形成し、ディスクなどの商品を収納した箱体と、この箱体にヒンジを介し開閉自在に設けた蓋体とで収納ケースを形成し、上記陳列ケースに上記収納ケースを嵌め込み、上記陳列ケースに嵌め込んである収納ケースの上記陳列ケースの側面開口からすべり出し防止手段を設けた構成を採用する。
【００１８】
また、底壁及び蓋壁と、この底壁及び蓋壁の平行する一辺側を前記底壁及び底壁の対向間隔が一定になるように開閉自在に連結したヒンジと、上記底壁及び蓋壁の前記ヒンジの反対側辺にショップ以外による解錠ができないと共に、ショップ側の解錠にともない施錠部品を回収することができるように設けた錠装置とで上記ヒンジと錠装置との間の対向両側の少なくとも片方が開放する陳列ケースを形成し、ディスクなどの商品を収納した箱体と、この箱体にヒンジを介し開閉自在に設けた蓋体とで収納ケースを形成し、上記陳列ケースに上記収納ケースを嵌め込み、この嵌め込んだ上記収納ケースの箱体を上記陳列ケースの底壁に止め部材を介し取付けた構成を採用する。
【００１９】
さらに、底壁及び蓋壁と、この底壁及び蓋壁の平行する一辺側を前記底壁及び蓋壁の対向間隔が一定になるように開閉自在に連結したヒンジと、上記底壁及び蓋壁の前記ヒンジの反対側辺にショップ以外による解錠ができないと共に、ショップ側の解錠にともない施錠部品を回収することができるように設けた錠装置とで上記ヒンジと錠装置との間の対向両側の少なくとも片方が開放する陳列ケースと形成し、ディスクなどの商品を収納した箱体と、この箱体にヒンジを介し開閉自在に設けた蓋体とで収納ケースを形成し、この収納ケースの上記ヒンジ側周壁及び上記箱体及び蓋体の表面に背見出しシートを重ねると共に、このシートの両側部分を前記箱体及び蓋体に固着し、上記陳列ケースに収納ケースを嵌め込み、この嵌め込んだ上記収納ケースの箱体を前記陳列ケースの底壁に前記収納ケースの上記シート側が浮上可能に止め部材を介し取付けた構成を採用することもある。
【発明の効果】
【００２０】
以上のように、この発明のレンタル用盗難防止装置によれば、陳列ケースの側面の少なくとも片方を開放させてあるので、少なくとも片方の側面に重なり合う周壁がなく、陳列ケースの両側面間の幅寸法を小さくすることができる。
【００２１】
このため、在来品の展示ケースに陳列ケースを挿入して、在来品の展示ケースを使用することができて、別途展示ケースを用意する必要がない。
【００２２】
そして、側面の開放した陳列ケースに嵌め込んである収納ケースは、すべり出し防止手段により抜き取りを防止するので、陳列時の収納ケースの抜き取りがなく、盗難防止に効果がある。
【００２３】
また、陳列ケースに嵌め込んだ収納ケースの箱体を陳列ケースの底壁に止め部材を介し取付けてあるので、陳列ケースに対する収納ケースの抜き取りを阻止して、収納ケースに収納してある商品の盗難を防止すると共に、陳列ケースの底壁に収納ケースの箱体を止め部材を介し取付けてあるので、陳列ケースの蓋壁の開放後に陳列ケース内で収納ケースの蓋体の開放を何ら支障なく行なうことができる。
【００２４】
さらに、陳列ケースの底壁に収納ケースの箱体を、収納ケースのシート側が陳列ケースの底壁に対し浮上可能に止め部材を介し取付けてあるので、開放した陳列ケース内で収納ケースの蓋体を開放した際、蓋体の開放にともない収納ケースに取付けてある背見出しのシートの両側間が外方に膨出変形しても、膨出変形したシートで収納ケースのシート側が陳列ケースの底壁に対し浮上（離反移動）する。
【００２５】
このため、収納ケースの蓋体の開放がスムーズになり、開放を阻害することがないと共に、陳列ケースの底壁上に収納ケースの箱体が整然と残って、脱出（移動）がなく、収納ケースの箱体を戻して嵌め込む手数が不要になる。
【００２６】
勿論、収納ケースに背見出しシートを固着してあるので、外れ、紛失することもない。
【発明を実施するための最良の形態】
【００２７】
以下、この発明の実施の形態を添付図面に基づいて説明する。
【００２８】
この発明の第１の実施形態の図１から図５に示す合成樹脂製の陳列ケースＡは、底壁１及び蓋壁２と、この底壁１及び蓋壁２の平行する二辺側を底壁１及び蓋壁２の対向間隔が一定になるように開閉自在に連結したヒンジ３と、上記底壁１及び蓋壁２のヒンジ３の反対側の辺にショップ以外による解錠ができないと共に、ショップ側による解除にともない施錠部品を回収することができるように設けた適宜の錠装置Ｂとで側面の少なくとも片方が開放するように構成されている。
【００２９】
上記のヒンジ３は、例えば図示の場合、蓋壁２の辺縁から蓋壁２の裏面方向に突出する周壁として突出壁４と底壁１のピンヒンジ３を介し連結したが、限定されず、例えば突出壁４を底壁１から連成したり、或いは底壁１と蓋壁２の両方から突出する突出壁（図示省略）の対向縁にピンヒンジを介し回動自在に連結するなどであってもよい。
【００３０】
上記の錠装置Ｂとしては、例えば図示の場合底壁１と蓋壁２との辺縁に陳列ケースＡの閉鎖状況下に対向縁が交互に嵌り込む（噛み合い状に）片端に挿入口５を有する筒状部６を設け、この筒状部６に挿入口５から施錠部品７としてのスライダ８を挿入して、両筒状部６の噛み合い辺縁から交互に突出するフック９とスライダ８の側縁との噛み合う係合関係によりスライダ８が閂の役目をして陳列ケースＡの閉鎖維持をはかると共に、スライダ８に挿入にともない押し戻される複数の（別部品の取付或いはスリットを入れて、スリットの内側に設けて）係止爪１０と、筒状部６の壁に表裏面が貫通するように設けてある透孔の係止部１１とが、スライダ８の挿入終了時に（押し戻しの解除下の係止爪１０が係止部１１に嵌入して）係合関係に（図５に示すように）なってショップ外によるスライダ８の引き抜きが阻止され、ショップ側による解錠は、図６に示すようにショップ側に解錠具Ｘの各係止部１１に合致する突起Ｙを係止部１１に嵌入して、嵌入する突起Ｙにより係止爪１０を押し戻し、この押し戻しにより係止部１１と係止爪１０との係合関係を解除した上で、スライダ８を筒状部６から抜き取る。
【００３１】
上記の抜き取りは、スライダ８の端末の突部１２に指先を引っかけて行なうが、周知のように解錠具Ｘのスライダ部材（図示省略）を脱出方向に人手によりスライドさせて、スライド部材の突部と突部１２との引っかかりによって挿入部材８を脱出方向にスライドすることもできる。
【００３２】
そして、図示のように係止爪１０の少なくとも１つを磁吸される鉄片により形成して、解錠具Ｘに併設した磁石Ｚにより磁吸される係止爪１０を磁吸して、係止爪１０と係止部１１との係合関係を解除する解錠方式を複雑にしてもよい。
【００３３】
勿論錠装置Ｂは、上述に限定されず、他の構成として、例えば特願平１０−３４９２９号や、特願平１１−２１２５８９号や、特願２０００−１９０２９１号の方式など適宜選択して用い、解錠方式も構成に見合うものを使用する。
【００３４】
上記陳列ケースＡの対向する両側の少なくとも片方を開口１３させる要因は、陳列ケースＡの両側面を閉鎖するにともない底壁１及び蓋壁２の側縁から連なって内と外とで重なり合う側壁が存在すると、計四枚の側壁により陳列ケースＡの両側面間の寸法が大きくなる。
【００３５】
すると、図４に示すショップ側の在来品の展示ケースＳに挿入しようとしても、展示ケースＳの両側間の幅が陳列ケースの両側間の幅より小さいために展示ケースＳを使用することができない。
【００３６】
このため、陳列ケースＡの側面の少なくとも片方に側壁のない開口１３を設け両側間の幅を減少することで、図８から図９に示すように、在来品の展示ケースＳに陳列ケースＡを挿入して使用可能になる。
【００３７】
なお、図示の場合、一側を開口させ、他側に底壁１及び蓋壁２の側縁から連なって内方に突出すると共に、開放縁を突き合わす側壁１４を設けることで、両側間の寸法を差しつかえのない程度とすることができる。
【００３８】
勿論、一側の側壁１４を内と外とで重ねることができ、両側面に開口１３を設けてもよい。
【００３９】
なお、展示ケースＳには、前もって背見出しシートＳ′が組み込んである。
【００４０】
上記の展示ケースＳは、周知のように透明な合成樹脂シート製であって、上面の開放面から陳列ケースＡを挿入するようになっている。
【００４１】
Ｋはメーカーから出荷された商品Ｄのディスクを収納した収納ケースである。
【００４２】
上記の収納ケースＫは、箱体２１と、この箱体２１の一辺にヒンジ２２を介し一辺を開閉自在に取付けた蓋体２３とで構成されている。
【００４３】
そして、陳列ケースＡに収納ケースＫを嵌め込んでおく。
【００４４】
上記の嵌め込みは、図示の場合両ヒンジ３、２２が直角位置になるようにしたが、限定されず、両ヒンジ３、２２が平行するように嵌め込んでもよい。
【００４５】
また、陳列ケースＡには、嵌め込んである収納ケースＫが開口１３から引き抜き（片方の側壁１４がない場合の押し出しも）を防止するすべり出し防止手段Ｅが設けてある。
【００４６】
上記のすべり出し防止手段Ｅは、図示の場合、陳列ケースＡの対向する両側の片方に側壁１４が、もう片方に開口１３があるため、陳列ケースＡの閉鎖状況下での開口１３から収納ケースＫの抜き取りを防止するよう開口１３の縁に収納ケースＫの側面に臨む或いは外接する突出部３１を底壁１や蓋壁２から突出させて設けたが、例えば開口１３の縁に（点在や全長などに）収納ケースＫに引っかかる突起や突条などであってもよい。要するに収納ケースＫがすべって脱出するのを防止する。
【００４７】
さらに、施錠部品７には、盗難防止タグＴが設けてある。
【００４８】
上記のタグＴは、周知のように、例えば固有のＩＤコードをもち、ショップの出入口の通過の際、出入口に設置の高周波電磁界の発生により共振回路が共振して固有のＩＤコードの発信にともない高周波電磁界を変調させるもので、ショップ外への持ち出しを検出し、盗難を防止する。
【００４９】
すると、錠装置Ｂの解錠にともないショップに施錠部品７を回収しておくことで、陳列ケースＡが貸し出しケースになり、陳列ケースＡのわずらわしいシールドが不要になる。
【００５０】
上記のように構成すると、陳列ケースＡの両側面或いは片方の側面を開放させて、陳列ケースの内と外とで重なり合う周壁（側壁）がないので、両側間の寸法を小さくすることができる。
【００５１】
このため、在来品の展示ケースＳに陳列ケースを挿入してショップに展示することができる。
【００５２】
また、側面を開放（開口１３を有する）させてある陳列ケースＡに嵌め込んである収納ケースＫは、陳列ケースＡの閉鎖（施錠した）状況下での開口１３からの抜き取りをすべり出し防止手段Ｅにより阻止する。
【００５３】
このため、盗難防止になる。
【００５４】
図中３２はすべり出し防止手段Ｅを形成する収納ケースＫの辺縁抱き込み片である。
【００５５】
この発明の第２の実施形態では、図１０から図１８に示すように、第１の実施形態のすべり出し防止手段Ｅのない両側の少なくとも片方が開口１３した陳列ケースＡを使用する。
【００５６】
上記陳列ケースＡの構成、施錠部品７をショップに回収することができる錠装置Ｂは、第１の実施形態と同様につき説明を省略する。
【００５７】
また、第１の実施形態と同様に陳列ケースＡに収納ケースＫを嵌め込んで収納する。
【００５８】
上記の嵌め込みは、第１の実施形態と同様につき、収納ケースＫの構成も第１の実施形態と同様につき説明を省略する。
【００５９】
さらに、嵌め込んだ収納ケースＫの箱体２１を陳列ケースＡの底壁１に止め部材４１を介し取付けてある。
【００６０】
上記の止め部材４１は、例えば、図１０、１１、１４、１５に示すように、二つ折り（Ｖ字状に折曲した）で、かつ粘着面が表面に位置する粘着テープ４２を使用し、この粘着テープ４２の片方を底壁１に、もう片方を箱体２１（底面）に（両自由端がヒンジ２２の方向に向くよう）粘着する。
【００６１】
また他の止め部材４１として、図１９、２０に示すように、底壁１に両端がヒンジ２２の反対方向に向くコ字状などのスリット４３を入れて、このスリット４３の内側に揺動片４４を設けて、この揺動片４４と箱体２１との重なり面を止め部材４１としての例えば両面テープ４５（接着剤も可）を介し固着する。
【００６２】
なお、図示（図２０）のように揺動片４４の自由端の表面と底壁１の裏面スリット４３に沿う縁とに揺動片４４の押し戻しにともない嵌り込む段部４６を設けておくと、押し戻された揺動片４４がスリット４３の内側を通過して、底壁１の表面側に揺動片４４が突出することなく停止する。
【００６３】
上記のように構成すると、図１２に示すように、陳列ケースＡの蓋壁２を、開放したのち、図１７、１８、２０に示すように収納ケースＫの蓋体２３を開放させて、箱体２１内の商品Ｄを取り出し、又は箱体２１に商品Ｄを戻す。
【００６４】
このとき、蓋体２３の開放にともない収納ケースＫのヒンジ２２側が浮き上がろうとする。
【００６５】
この浮き上がりを、二つ折りの粘着テープ４２や揺動片４４により阻害することなく許容する。
【００６６】
すなわち、蓋体２３の両側壁のヒンジ２２側の底壁１に対する突っ張りがない。
【００６７】
そして、陳列ケースＡの蓋壁２の閉鎖状況下では、陳列ケースＡの底壁１と蓋壁２とで収納してある収納ケースＫを挟み込むので、開口１３から収納ケースＫを引き抜き或いは押し出して取り出そうとしても、止め部材４１の粘着テープ４２や両面テープ４５によって収納ケースＫのすべり出しを阻止し、盗難防止に効果を発揮する。
【００６８】
なお、施錠部品７のスライダ８に盗難防止タグＴ（図示省略）を設けて、ショップ外への持ち出しを防止する。
【００６９】
上記の盗難防止タグＴは、第１の実施形態と同様につき説明を省略する。
【００７０】
なお、錠装置Ｂのショップ側による解錠、スライダ８の引き抜き、上記錠装置Ｂの構成及び作用効果は、第１の実施形態と同様につき説明を省略する。
【００７１】
勿論、第２の実施形態にあっても、第１の実施形態と同様に、展示ケースＳに陳列ケースＡを挿入して（図示省略）ショップに展示する。
【００７２】
また、収納ケースＫのヒンジ２２側には、収納ケースＫの周壁及び蓋体２３、箱体２１の表面に背見出しシート５１を重ねると共にこの背見出しシート５１を箱体２１及び蓋体２３の表面に取付ける。
【００７３】
上記の取付けは、図示の場合粘着テープ５２の粘着面の両側縁部間に背見出しシート５１の表面を重ね合わせ、粘着テープ５２の両側縁部を箱体２１及び蓋体２３の表面に接着したが、限定されず、背見出しシート５１の裏面両側縁部などを接着剤を介し取付けるなどの方法を採用してもよい。
【００７４】
すると、収納ケースＫの背見出しシート５１により陳列時の収納ケースＫに収納してある商品Ｄのディスクの題名などがわかり、展示効果を損うことがない。
【００７５】
また、蓋壁２の開放にともない背見出しシート５１の両側縁間が収納ケースＫに対し遊離し、遊離した部分が変形により図１８、２０に示すように膨出して収納ケースＫの箱体２１が陳列ケースＡの底壁１に対し浮上（浮き上がる）する。
【００７６】
このとき、止め部材４１により底壁１に対し箱体２１を支持しているので、箱体２１の離脱がなく、その後の蓋体２３の閉鎖をスムーズに行なうことができる。
【００７７】
勿論、背見出しシート５１の膨出変形により蓋体２３の開放に支障をきたすことがない。
【００７８】
なお、収納ケースＫに背見出しシート５１を取付けてあっても、第１の実施形態のように、背見出しシートＳ′を有する展示ケースＳを使用することができる。
そして、第１及び第２の実施形態の開口１３は、図示のように陳列ケースＡの収納ケースＫを嵌め込む収納空間の側面に存在させるものである。すなわち、ヒンジ３と錠装置Ｂとの間のスライダ８の挿入口５に関係のない範囲とする。
【００７９】
また、図２１、２２に示すように底壁１の側縁から連なる側壁７１のシート５１側端や、図１０の突出壁４のシート５１側端（図示せず）から連なってシート５１の通過を許容するように内方に突出する舌片７２を、シート５１の内側（裏面側）に位置させることで、収納ケースＫの陳列ケースＡに対する脱出方向のすべり移動を止めることができる。
【図面の簡単な説明】
【００８０】
【図１】この発明の第１の実施形態に使用する陳列ケースの斜視図
【図２】同収納ケースの斜視図
【図３】収納ケースを嵌め込んだ斜視図
【図４】展示ケースの使用を示す分解斜視図
【図５】展示ケースの使用を示す縦断側面図
【図６】解錠を示す一部切欠拡大側面図
【図７】展示ケースの使用を示す縦断正面図
【図８】同縦断拡大側面図
【図９】同横断平面図
【図１０】第２の実施形態の陳列ケースを示す斜視図
【図１１】収納ケースの斜視図
【図１２】陳列ケースに収納ケースを嵌め込んだ斜視図
【図１３】同斜視図
【図１４】同上の縦断側面図
【図１５】同横断平面図
【図１６】同縦断側面図
【図１７】収納ケースを開放した平面図
【図１８】同上の縦断側面図
【図１９】他の止め部材を示す斜視図
【図２０】同上の縦断側面図
【図２１】移動止めの他の例を示す平面図
【図２２】同上の一部切欠側面図
【図２３】従来品の陳列ケースを示す斜視図
【図２４】同収納ケースの斜視図
【図２５】陳列ケースに収納ケースを嵌め込んだ斜視図
【符号の説明】
【００８１】
Ａ      陳列ケース
Ｂ      錠装置
Ｅ      すべり出し防止手段
Ｋ      収納ケース
Ｓ      展示ケース
Ｓ′    背見出しシート
Ｔ      タグ
１      底壁
２      蓋壁
３      ヒンジ
４      突出壁
５      挿入口
６      筒状部
７      施錠部品
８      スライダ
９      フック
１０    係止爪
１１    係止部
１２    突部
１３    開口
１４    側壁
２１    箱体
２２    ヒンジ
２３    蓋体
３１    突出部
３２    抱き込み片
４１    止め部材
４３    スリット
４４    揺動片
５１    背見出しシート
５２    粘着テープ
【図１】
0004698402.tif 000002
【図２】
0004698402.tif 000003
【図３】
0004698402.tif 000004
【図４】
0004698402.tif 000005
【図５】
0004698402.tif 000006
【図６】
0004698402.tif 000007
【図７】
0004698402.tif 000008
【図８】
0004698402.tif 000009
【図９】
0004698402.tif 000010
【図１０】
0004698402.tif 000011
【図１１】
0004698402.tif 000012
【図１２】
0004698402.tif 000013
【図１３】
0004698402.tif 000014
【図１４】
0004698402.tif 000015
【図１５】
0004698402.tif 000016
【図１６】
0004698402.tif 000017
【図１７】
0004698402.tif 000018
【図１８】
0004698402.tif 000019
【図１９】
0004698402.tif 000020
【図２０】
0004698402.tif 000021
【図２１】
0004698402.tif 000022
【図２２】
0004698402.tif 000023
【図２３】
0004698402.tif 000024
【図２４】
0004698402.tif 000025
【図２５】
0004698402.tif 000026